(57)【要約】【課題】カード発行者自らが大規模な発行設備を持つことなく、自分の都合に合わせてＩＣカードの発行が可能なＩＣカード発行システムおよび方法を提供することを目的とする。【解決手段】データ生成代行会社が生成したＩＣカード用の書込みデータに基づきカード発行者自らがＩＣカードを発行する発行手段と、カード発行者より受信した顧客データに基づきＩＣカード用の書込みデータを生成しカード発行者に返送する生成手段と、発行手段および生成手段を接続し通信可能にする通信手段とを設けたＩＣカード発行システムおよび方法を提供する。【選択図】　図１
2004021940.tif 000002
【特許請求の範囲】
【請求項１】
生成したデータをＩＣカードに書込み、ＩＣカードを発行するシステムであって、
データ生成代行会社が生成したＩＣカード用の書込みデータに基づき、カード発行者自らがＩＣカードを発行する発行手段と、
カード発行者より受信した顧客データに基づき、ＩＣカード用の書込みデータを生成し、カード発行者に返送する生成手段と、
前記発行手段および前記生成手段を接続し、通信可能にする通信手段と、
を備えたことを特徴とするＩＣカード発行システム。
【請求項２】
請求項１記載のＩＣカード発行システムであって、
前記発行手段が、
顧客データ、カード情報、暗号鍵を管理する第１の情報記録手段と、
前記生成手段に対して、前記顧客データを送付してＩＣカードに書込むデータの生成を依頼する依頼手段と、
前記生成手段から受け取った書込みデータによりＩＣカードを発行するカード発行手段と、
を備えることを特徴とするＩＣカード発行システム。
【請求項３】
請求項１または２記載のＩＣカード発行システムであって、前記依頼手段が、
カード発行の対象となる顧客データを入力し、前記第１の情報記録手段に記録する顧客データ入力手段と、
前記第１の情報記録手段から、カード発行対象となる顧客データを抽出する抽出手段と、
を備えることを特徴とするＩＣカード発行システム。
【請求項４】
請求項１から３のいずれかに記載のＩＣカード発行システムであって、
前記依頼手段が、
前記顧客データを暗号化する第１の暗号化手段と、
前記暗号化した顧客データを前記通信手段を介して前記生成手段へ伝送する顧客データ送信手段と、
を備えることを特徴とするＩＣカード発行システム。
【請求項５】
請求項１から４のいずれかに記載のＩＣカード発行システムであって、
前記カード発行手段が、
前記生成手段から前記書込みデータを受け取る書込みデータ受信手段と、
前記生成手段から受け取った書込みデータに施した暗号化を復号化する第１の復号化手段と、
前記復号化した書込みデータをＩＣカードに書き込むＩＣカード発行機と、
を備えることを特徴とするＩＣカード発行システム。
【請求項６】
請求項１から５のいずれかに記載のＩＣカード発行システムであって、
前記生成手段が、
カード発行者情報、カードのファイル情報、リスクパラメータ、暗号鍵を管理する第２の情報記録手段と、
前記データ生成の依頼を受け取る受領手段と、
前記ＩＣカード発行機が処理可能な形式のデータを生成するデータ生成手段と、を備えることを特徴とするＩＣカード発行システム。
【請求項７】
請求項１から６のいずれかに記載のＩＣカード発行システムであって、
前記受領手段が、
前記顧客データ送信手段が送信した顧客データを受信する顧客データ受信手段と、
前記受信した顧客データに施した暗号化を復号化する第２の復号化手段と、
を備えたことを特徴とするＩＣカード発行システム。
【請求項８】
請求項１から７のいずれかに記載のＩＣカード発行システムであって、
前記データ生成手段が、
前記復号化した個人情報を前記ＩＣカード発行機が処理可能な形式のデータ形式に変換する変換手段と、
暗号鍵および電子証明書を生成する書込みデータ生成手段と、
を備えることを特徴とするＩＣカード発行システム。
【請求項９】
請求項１から８のいずれかに記載のＩＣカード発行システムであって、
前記データ生成手段が、
前記書込みデータ生成手段により生成した書込みデータを暗号化する第２の暗号化手段と、
前記暗号化した書込みデータを前記通信手段を介して発行手段に伝送する書込みデータ送信手段と、
を備えることを特徴とするＩＣカード発行システム。
【請求項１０】
請求項１から９のいずれかに記載のＩＣカード発行システムであって、
前記発行手段が、
前記生成手段に対して、前記書込みデータのＩＣカードへの書込みが正常に終了したことを通知する通知手段を備え、
前記生成手段が、
前記通知手段からの書込み正常終了の通知に基づいて、データ生成の費用を算出し、カード発行者に対して請求を行う費用請求手段を備える、
ことを特徴とするＩＣカード発行システム。
【請求項１１】
生成したデータをＩＣカードに書込み、ＩＣカードを発行する方法であって、
カード発行者が、カード発行対象者の顧客データをデータ生成代行会社に送付する段階と、
データ生成代行会社が、受け取った顧客データに基づき、当該ＩＣカード用の書込みデータを生成する段階と、
前記生成した書込みデータをカード発行者に送付する段階と、
カード発行者が、受け取った書込みデータをＩＣカードに書き込み、ＩＣカードを発行する段階と、
を設けたことを特徴とするＩＣカード発行方法。
【請求項１２】
請求項１１記載のＩＣカード発行方法であって、
前記顧客データをデータ生成代行会社に送付する段階において、
カード発行の対象となる顧客データを抽出する段階と、
前記抽出した顧客データを暗号化する段階と、
を設けたことを特徴とするＩＣカード発行方法。
【請求項１３】
請求項１１または１２記載のＩＣカード発行方法であって、
前記顧客データをデータ生成代行会社に送付する段階において、
カード発行の対象となる顧客データを前記通信手段を介して伝送する、
ことを特徴とするＩＣカード発行方法。
【請求項１４】
請求項１１から１３いずれかに記載のＩＣカード発行方法であって、
前記書込みデータを生成する段階において、
前記顧客データに施した暗号化を復号化する段階と、
前記復号化した顧客データを予めカード発行者が指定するデータ形式に変換する段階と、
前記カード発行者が指定するデータ形式に変換した顧客データを用いて暗号鍵および電子証明書を生成する段階と、
を設けたものである。
【請求項１５】
請求項１１から１４のいずれかに記載のＩＣカード発行方法であって、
前記生成した書込みデータをカード発行者に送付する段階において、
前記書込みデータを暗号化する段階と、
を設けたことを特徴とするＩＣカード発行方法。
【請求項１６】
請求項１１から１５のいずれかに記載のＩＣカード発行方法であって、
前記生成した書込みデータをカード発行者に送付する段階において、
前記書込みデータを前記通信手段を介して伝送する、
ことを特徴とするＩＣカード発行方法。
【請求項１７】
請求項１１から１６のいずれかに記載のＩＣカード発行方法であって、
前記ＩＣカードを発行する段階において、
前記受け取った書込みデータに施した暗号化を復号化する段階と、
を設けたことを特徴とするＩＣカード発行方法。
【請求項１８】
請求項１１から１７のいずれかに記載のＩＣカード発行方法であって、
前記ＩＣカードを発行する段階において、
書込みデータのＩＣカードへの書き込みが正常に終了したことをデータ生成代行会社に通知する段階と、
前記書込みの正常終了の通知に基づき、データ生成の費用を算出し、カード発行者に対して請求する段階と、
を設けたことを特徴とするＩＣカード発行方法。
【請求項１９】
コンピュータを請求項１から１０記載のＩＣカード発行システムとして動作可能にするプログラム。
【請求項２０】
コンピュータを請求項１から１０記載のＩＣカード発行システムとして動作可能にするプログラムを記録したコンピュータ読み取り可能な記録媒体。
【発明の詳細な説明】
【０００１】
【発明の属する技術分野】
本発明は、ＩＣカードの発行に関し、特にネットワーク化したＩＣカード発行システム、方法、プログラムおよび記録媒体に関するものである。
【０００２】
【従来の技術】
従来、銀行のキャッシュカード、クレジットカード、社員カードなどに主として用いられる磁気カードは、エンボスに使用するデータ、および磁気テープに記録するデータの生成が容易であり、大量発行装置を有するカード発行会社だけでなく、カード発行者による発行も可能であった。
【０００３】
近年、磁気カードより高いセキュリティを持ち、機能の追加が可能で、多くの情報を記録可能なＩＣカードを用いることが増えてきている。
【０００４】
係るＩＣカードの発行は、ＩＣカードの発行を受託して行う専門のカード発行受託会社が行うことが一般的である。カード発行受託会社は、カード発行者より顧客データを受領し、暗号鍵や電子証明書などの書込みデータを生成し、カード発行機を用いて書込みデータをＩＣカードに書き込むという手順により、カードの発行を行っている。
【０００５】
しかしながら、従来のカード発行受託会社によるＩＣカードの発行には、以下の問題がある。すなわち、全てのＩＣカードの発行をＩＣカード発行受託会社へ依頼する場合、ＩＣカード発行受託会社の生産スケジュールによっては、希望納期通りに納入されないことがある。
【０００６】
特に、発行枚数が少量の場合、あるいは再発行の場合などは、適切なタイミングに発行したいという要望が強く、ＩＣカード発行受託会社の生産スケジュールの影響を受けないことが好ましい。
【０００７】
しかしながら、カード発行者自らが係るＩＣカードの発行を行うためには、ＲＳＡペア鍵生成、共通鍵生成、電子証明書生成など、磁気カードの発行にはなかった複雑な処理や管理を行う必要が生じるという問題がある。
【０００８】
【発明が解決しようとする課題】
本発明は上述の問題点に鑑みてなされたものであり、カード発行者自らが大規模な発行設備を持つことなく、自分の都合に合わせてＩＣカードの発行が可能なＩＣカード発行システムおよび方法を提供することを目的とする。
【０００９】
【課題を解決するための手段】
上記目的を達成するために、本発明の第１の態様は、生成したデータをＩＣカードに書込みＩＣカードを発行するシステムであって、データ生成代行会社が生成したＩＣカード用の書込みデータに基づきカード発行者自らがＩＣカードを発行する発行手段と、カード発行者より受信した顧客データに基づきＩＣカード用の書込みデータを生成しカード発行者に返送する生成手段と、前記発行手段および前記生成手段を接続し通信可能にする通信手段とを設けたものである。
【００１０】
本発明の第２の態様は、上述の第１の態様に係るＩＣカード発行システムにおいて、前記発行手段に、顧客データ、カード情報、暗号鍵を管理する第１の情報記録手段と、前記生成手段に対して前記顧客データを送付してＩＣカードに書込むデータの生成を依頼する依頼手段と、前記生成手段から受け取った書込みデータによりＩＣカードを発行するカード発行手段とを設けたものである。
【００１１】
本発明の第３の態様は、上述の第１または２の態様に係るＩＣカード発行システムにおいて、前記依頼手段に、カード発行の対象となる顧客データを入力し前記第１の情報記録手段に記録する顧客データ入力手段と、前記第１の情報記録手段からカード発行対象となる顧客データを抽出する抽出手段とを設けたものである。
【００１２】
本発明の第４の態様は、上述の第１から３の態様に係るＩＣカード発行システムにおいて、前記依頼手段に、前記顧客データを暗号化する第１の暗号化手段と、前記暗号化した顧客データを前記通信手段を介して前記生成手段へ伝送する顧客データ送信手段とを設けたものである。
【００１３】
本発明の第５の態様は、上述の第１から４の態様に係るＩＣカード発行システムにおいて、前記カード発行手段に、前記生成手段から前記書込みデータを受け取る書込みデータ受信手段と、前記生成手段から受け取った書込みデータに施した暗号化を復号化する第１の復号化手段と、前記復号化した書込みデータをＩＣカードに書き込むＩＣカード発行機とを設けたものである。
【００１４】
本発明の第６の態様は、上述の第１から５の態様に係るＩＣカード発行システムにおいて、前記生成手段に、カード発行者情報、カードのファイル情報、リスクパラメータ、暗号鍵を管理する第２の情報記録手段と、前記データ生成の依頼を受け取る受領手段と、前記ＩＣカード発行機が処理可能な形式のデータを生成するデータ生成手段とを設けたものである。
【００１５】
本発明の第７の態様は、上述の第１から６の態様に係るＩＣカード発行システムにおいて、前記受領手段に、前記顧客データ送信手段が送信した顧客データを受信する顧客データ受信手段と、前記受信した顧客データに施した暗号化を復号化する第２の復号化手段とを設けたものである。
【００１６】
本発明の第８の態様は、上述の第１から７の態様に係るＩＣカード発行システムにおいて、前記データ生成手段に、前記復号化した個人情報を前記ＩＣカード発行機が処理可能な形式のデータ形式に変換する変換手段と、暗号鍵および電子証明書を生成する書込みデータ生成手段とを設けたものである。
【００１７】
本発明の第９の態様は、上述の第１から８の態様に係るＩＣカード発行システムにおいて、前記データ生成手段に、前記書込みデータ生成手段により生成した書込みデータを暗号化する第２の暗号化手段と、前記暗号化した書込みデータを前記通信手段を介して前記発行手段へ伝送する書込みデータ送信手段とを設けたものである。
【００１８】
本発明の第１０の態様は、上述の第１から９の態様に係るＩＣカード発行システムにおいて、前記発行手段に、前記生成手段に対して前記書込みデータのＩＣカードへの書込みが正常に終了したことを通知する通知手段を設け、前記生成手段に、前記通知手段からの書込み正常終了の通知に基づいてデータ生成の費用を算出しカード発行者に対して請求を行う費用請求手段を設けたものである。
【００１９】
本発明の第１１の態様は、生成したデータをＩＣカードに書込みＩＣカードを発行する方法において、カード発行者がカード発行対象者の顧客データをデータ生成代行会社に送付する段階と、データ生成代行会社が受け取った顧客データに基づき当該ＩＣカード用の書込みデータを生成する段階と、前記生成した書込みデータをカード発行者に送付する段階と、カード発行者が受け取った書込みデータをＩＣカードに書き込みＩＣカードを発行する段階とを行うようにしたものである。
【００２０】
本発明の第１２の態様は、上述の第１１の態様に係るＩＣカード発行方法において、前記顧客データをデータ生成代行会社に送付する段階において、カード発行の対象となる顧客データを抽出する段階と、前記抽出した顧客データを暗号化する段階とを行うようにしたものである。
【００２１】
本発明の第１３の態様は、上述の第１１または１２の態様に係るＩＣカード発行方法において、前記顧客データをデータ生成代行会社に送付する段階において、カード発行の対象となる顧客データを前記通信手段を介して伝送するようにしたものである。
【００２２】
本発明の第１４の態様は、上述の第１１から１３の態様に係るＩＣカード発行方法において、前記書込みデータを生成する段階において、前記顧客データに施した暗号化を復号化する段階と、前記復号化した顧客データを予めカード発行者が指定するデータ形式に変換する段階と、前記カード発行者が指定するデータ形式に変換した顧客データを用いて暗号鍵および電子証明書を生成する段階とを行うようにしたものである。
【００２３】
本発明の第１５の態様は、上述の第１１から１４の態様に係るＩＣカード発行方法において、前記生成した書込みデータをカード発行者に送付する段階において、前記書込みデータを暗号化する段階を行うようにしたものである。
【００２４】
本発明の第１６の態様は、上述の第１１から１５の態様に係るＩＣカード発行方法において、前記生成した書込みデータをカード発行者に送付する段階において、前記書込みデータを前記通信手段を介して伝送するようにしたものである。
【００２５】
本発明の第１７の態様は、上述の第１１から１６の態様に係るＩＣカード発行方法において、前記ＩＣカードを発行する段階において、前記受け取った書込みデータに施した暗号化を復号化する段階を行うようにしたものである。
【００２６】
本発明の第１８の態様は、上述の第１１から１７の態様に係るＩＣカード発行方法において、前記ＩＣカードを発行する段階において、書込みデータのＩＣカードへの書き込みが正常に終了したことをデータ生成代行会社に通知する段階と、前記書込みの正常終了の通知に基づきデータ生成の費用を算出しカード発行者に対して請求する段階とを設けたものである。
【００２７】
本発明の第１９の態様は、コンピュータを、上述の第１から１０に係るＩＣカード発行システムとして動作させるためのプログラムを提供するようにしたものである。
【００２８】
本発明の第２０の態様は、コンピュータを、上述の第１から１０に係るＩＣカード発行システムとして動作させるためのプログラムを、コンピュータ読み取り可能な記録媒体に記録して提供するようにしたものである。
【００２９】
【発明の実施の形態】
以下、本発明を図示する実施形態に基づいて説明する。図１は、本発明のＩＣカード発行システム１の一実施例を示す構成図である。
【００３０】
ＩＣカード発行システム１は、発行手段２および生成手段３を備えており、発行手段２と生成手段３とは通信手段４を介して通信可能になっている。
【００３１】
発行手段２は、第１の情報記録手段５、依頼手段６、カード発行手段７、通知手段８を備えており、銀行やクレジット会社などのカード発行者自らがＩＣカードを発行するものである。
【００３２】
第１の情報記録手段５は、実際には、顧客データ、カード情報、暗号鍵などを記録するデータベースである。
【００３３】
依頼手段６は、顧客データ入力手段９、抽出手段１０、第１の暗号化手段１１、顧客データ送信手段１２を備えており、ＩＣカード発行の対象となる顧客データを生成手段３に対して送信し、書込みデータの生成を依頼するものである。
【００３４】
顧客データ入力手段９は、カードの発行対象となる顧客のＰＩＮ（Ｐｅｒｓｏｎａｌ　Ｉｄｅｎｔｉｆｉｃａｔｉｏｎ　Ｎｕｍｂｅｒ）、氏名、住所、生年月日、付帯サービスの内容、年収や利用限度額などの顧客データを入力し、第１の情報記録手段５に記録するものである。
【００３５】
抽出手段１０は、第１の情報記録手段５に記録した顧客データから、今回発行の対象となる顧客の発行に必要となる基本的な情報を、例えば未発行の識別などに基づいて抽出するものである。
【００３６】
第１の暗号化手段１１は、通信内容を隠蔽するために、抽出した顧客データと、発行するＩＣカードの種類を示すカード情報を対にして、共通鍵などを用いて暗号化するものである。
【００３７】
顧客データ送信手段１２は、暗号化した顧客データとカード情報を、通信手段４を介して、生成手段３に対して伝送するものである。
【００３８】
カード発行手段７は、書込みデータ受信手段１３、第１の復号化手段１４、ＩＣカード発行機１５を備えており、生成手段３が生成した書込みデータによりＩＣカードを発行するものである。
【００３９】
書込みデータ受信手段１３は、通信手段４を介して、生成手段３が伝送した書込みデータおよび管理データを受信し、記録するものである。ここで、管理データとは、少なくとも顧客識別コード、ＩＣカードに書込む秘密鍵と対になる公開鍵を含み、書込みデータを識別し、管理するものである。
【００４０】
第１の復号化手段１４は、生成手段３が伝送した書込みデータおよび管理データに施された暗号化を復号化するものである。
【００４１】
ＩＣカード発行機１５は、リーダ／ライタからなり、エンボスの加工またはカード表面への印字、書込みデータのＩＣチップへの書込みを行うものである。
【００４２】
通知手段８は、ＩＣカードへの書込みデータの書込みが正常に終了したことを生成手段３に対して通知するものである。
【００４３】
生成手段３は、第２の情報記録手段１６、受領手段１７、データ生成手段１８、費用請求手段１９を備えており、発行手段２が伝送した顧客データに基づき、実際にＩＣカードに書込むデータを生成するものである。
【００４４】
第２の情報記録手段１６は、カード発行者の情報、当該カードのファイル構成などを記録したカードのファイル情報、有効期限やＰＩＮの入力ミス回数などの不正利用を防止するために設定するリスクパラメータ、暗号鍵などを記録したデータベースである。
【００４５】
受領手段１７は、顧客データ受信手段２０、第２の復号化手段２１を備えており、発行手段２から受信した顧客データを受領するものである。
【００４６】
顧客データ受信手段２０は、発行手段２が送信した顧客データおよびカード情報を受信するものである。
【００４７】
第２の復号化手段２１は、受信した顧客データおよびカード情報に施された暗号化を復号化するものである。
【００４８】
データ生成手段１８は、変換手段２２、書込みデータ生成手段２３、第２の暗号化手段２４、書込みデータ送信手段２５を備えており、受信した顧客データから書込みデータを生成し、発行手段２に返送するものである。
【００４９】
変換手段２２は、発行手段２が送信した顧客データを、受信したカード情報などに基づいて、当該カード固有のデータ形式に変換するものである。
【００５０】
書込みデータ生成手段２３は、顧客データから、ＩＣカードに実際に書込むための暗号鍵、電子証明書（電子署名や公開鍵など）、クレジットカード番号、ＰＩＮなどのデータを生成するものである。
【００５１】
第２の暗号化手段２４は、生成した書込みデータおよび当該書込みデータの管理データに対して、情報を隠蔽するために暗号化するものである。
【００５２】
書込みデータ送信手段２５は、通信手段４を介して、暗号化した生成データおよび管理データを発行手段２に対して伝送するものである。
【００５３】
費用請求手段１９は、通知手段８から受けた書込み正常終了の通知に基づき、データ生成の費用を算出し、カード発行者に対して請求を行うものである。
【００５４】
通信手段４は、通信の安全性を確保する必要があり、専用回線またはＶＰＮ（Ｖｉｒｔｕａｌ　Ｐｒｉｖａｔｅ　Ｎｅｔｗｏｒｋ）などである。
【００５５】
次に、図２の模式図に基づき、本発明のＩＣカード発行システム１の動作を説明する。
【００５６】
まず、カード発行者は、ＩＣカードの発行を希望する顧客の申し込み用紙の記入内容などに基づき、顧客データ入力手段９により、顧客の照合情報、氏名、生年月日、付帯サービスの内容、利用限度額などの顧客データを入力し、第１の情報記録手段５に記録する。
【００５７】
次に、抽出手段１０は、第１の情報記録手段５に記録した顧客データから、今回発行の対象となる顧客の発行に必要となる基本的な情報を、例えば未発行の識別などに基づいて抽出する。
【００５８】
次に、第１の暗号化手段１１は、通信内容の隠蔽性のために、抽出した顧客データと、発行するＩＣカードの種類を示すカード情報を対にして、共通鍵などを用いて暗号化する。
【００５９】
次に、顧客データ送信手段１２は、暗号化した顧客データとカード情報を、通信手段４を介して、生成手段３に対して伝送する。
【００６０】
次に、データ生成代行会社（通常は、カード発行受託会社）の顧客データ受信手段２０は、発行手段２が送信した顧客データおよびカード情報を受信する。
【００６１】
次に、第２の復号化手段２１は、受信した顧客データおよびカード情報に施された暗号化を復号化する。
【００６２】
次に、変換手段２２は、受信したカード情報および第２の情報記録手段１６に記録した当該カードを構成するファイルの情報などを参照し、受信した顧客データを、当該カードに固有の形式に変換する。
【００６３】
この変換は、通常、データ生成代行会社であるカード発行受託会社が、多くのカード発行者からカード発行を受託しており、各カード発行者からの顧客データおよび当該ＩＣカードに書込むデータの両方を変換する手段を備えていることにより可能である。したがって、カード発行者は、データ生成手段１８が扱うデータ形式を意識する必要がない。
【００６４】
次に、書込みデータ生成手段２３は、当該カード固有の形式に変換した顧客データから、暗号鍵、電子証明書などを含む実際にＩＣカードに書込むデータを生成する。
【００６５】
次に、第２の暗号化手段２４は、生成した書込みデータおよび当該書込みデータの管理データに対して、情報の隠蔽性のために暗号化を施す。
【００６６】
次に、書込みデータ送信手段２５は、通信手段４を介して、暗号化した生成データおよび管理データを発行手段２に対して伝送する。
【００６７】
次に、書込みデータ受信手段１３は、通信手段４を介して、生成手段３が伝送した書込みデータおよび管理データを受信し、一時的に記録する。
【００６８】
次に、第１の復号化手段１４は、受信した書込みデータおよび管理データに施された暗号化を復号化する。
【００６９】
次に、ＩＣカード発行機１５は、復号化した生成データに基づき、エンボスの加工やカード表面への印字、書込みデータのＩＣチップへの書込みなど、実際のＩＣカードの発行を行う。
【００７０】
この時、生成手段３により生成データは、当該カード固有の形式で作成されているから、ＩＣカード発行機１５は、書込みデータをそのまま書き込むことができる。
【００７１】
通知手段８は、ＩＣカード発行機１５が書込みデータを正常にＩＣカードに書き込んだことを、生成手段３に通知する。
【００７２】
費用請求手段１９は、通知手段８からの書込み正常終了の通知に基づき、例えば書込みデータ生成に掛かった時間、生成したデータの件数などによりカード発行会社に請求する金額を算出して請求書を発行するなどの方法で、カード発行会社に対して請求を行う。
【００７３】
決済会社が仲介できる場合は、通知手段８および費用請求手段１９により、データ生成代行費用の支払いや引き落としなどの決済を行うことも可能である。
【００７４】
以上、本発明を実施の形態に基づいて詳細に説明してきたが、本発明による生体認証システムは、上述の実施の形態に何ら限定されるものではなく、本発明の趣旨を逸脱しない範囲において種々の変更が可能なことは当然のことである。
【００７５】
【発明の効果】
以上のとおり、本発明に係るＩＣカード発行システムおよび方法によれば、ＩＣカードの発行において、データ生成代行会社がＩＣカードに書込むデータを生成することにより、カード発行者が、ＩＣカード特有の鍵、電子証明書、リスクパラメータなどの管理や、システムを導入することなく、カード発行者の希望する日程において、ＩＣカードを発行することが可能になる。
【図面の簡単な説明】
【図１】本発明のＩＣカード発行システムの構成図である。
【図２】本発明のＩＣカード発行システムの動作を示す模式図である。
【符号の説明】
１　ＩＣカード発行システム
２　発行手段
３　生成手段
４　通信手段
５　第１の情報記録手段
６　依頼手段
７　カード発行手段
８　通知手段
９　顧客データ入力手段
１０　抽出手段
１１　第１の暗号化手段
１２　顧客データ送信手段
１３　書込みデータ受信手段
１４　第１の復号化手段
１５　ＩＣカード発行機
１６　第２の情報記録手段
１７　受領手段
１８　データ生成手段
１９　費用請求手段
２０　顧客データ受信手段
２１　第２の復号手段
２２　変換手段
２３　書込みデータ生成手段
２４　第２の暗号化手段
２５　書込みデータ送信手段
【図１】
2004021940.tif 000003
【図２】
2004021940.tif 000004